(57)【要約】【課題】回転ノブの回転軸心に沿った方向及びその直交２方向でのがたつきを共に抑制しながら部品点数の増大抑制、操作レバーの大型化抑制を可能とする。【解決手段】非回転ノブ３を備えた操作レバー１に、軸回りに回転操作して電気的な操作指示が可能な回転ノブ５を備え、非回転ノブ３と回転ノブ５との間に、節度機構９を設けたレバー・スイッチにおいて、節度機構９は、回転ノブ５に設けられた節度山１１，１３と非回転ノブ３に設けられ節度山１１，１３にコイル・スプリング１５，１７の付勢により弾接する節度ボール１９，２１とからなり、節度山１１，１３は、回転ノブ５の回転軸心Ｃに対し角度θ＝３０°又は４５°で傾斜するように指向配置され、付勢が節度山１１，１３の傾斜指向方向に沿うようにコイル・スプリング１５，１７及び節度ボール１９，２１を傾斜配置したことを特徴とする。【選択図】図１
2009043683.tif 000002
【特許請求の範囲】
【請求項１】
非回転部を備えた操作レバーに、軸回りに回転操作して電気的な操作指示が可能な回転ノブを備え、
前記非回転部と前記回転ノブとの間に、節度機構を設けたレバー・スイッチにおいて、
前記節度機構は、前記非回転部及び回転ノブの一方と他方とに各別に設けられた節度形状部と該節度形状部に弾性体の付勢により弾接する節度体とからなり、
前記節度形状部は、前記回転ノブの回転軸心に対し傾斜するように指向配置され、
前記付勢が前記節度形状部の傾斜指向方向に沿うように前記弾性体及び節度体を配置した、
ことを特徴とするレバー・スイッチ。
【請求項２】
請求項１記載のレバー・スイッチであって、
前記節度形状部と弾性体及び節度体とは、前記回転ノブの回転周方向に複数備えられた、
ことを特徴とするレバー・スイッチ。
【発明の詳細な説明】
【技術分野】
【０００１】
本発明は、自動車のステアリング・コラムに取り付けられるレバー・スイッチに関する。
【背景技術】
【０００２】
従来のこの種のレバー・スイッチとして、図６に示す操作レバー１０１を備えたものがある。このレバー・スイッチでは、例えば操作レバー１０１の先端側に回転ノブ１０３が備えられ、この回転ノブ１０３を軸回りに回転操作すると、フロント側又はリヤ側のフォグランプの点消灯の切換を行うことができる等の機能を有する。
【０００３】
この回転ノブ１０３は、例えば非回転の固定ノブ１０５との間に節度機構１０７を備えており、回転操作に対して節度感を与えることができるようになっている。
【０００４】
節度機構１０７は、例えば節度山１０９とコイル・スプリング１１１及び節度ボール１１３からなっている。節度山１０９は、固定ノブ１０５側に設けられ、回転ノブ１０３の回転軸心に沿った方向に指向配置されている。コイル・スプリング１１１及び節度ボール１１３は、回転ノブ１０３側に設けられ、コイル・スプリング１１１による節度ボール１１３の節度山１０９に対する付勢方向が節度山１０９の指向方向に沿うように回転ノブ１０３の回転軸心に沿った方向に設定されている。
【０００５】
このような節度機構１０７により、前記のように回転ノブ１０３の回転操作に対して節度感を与えることができる。
【０００６】
しかし、前記のように節度山１０９が回転ノブ１０３の回転軸心に沿った方向に指向配置され、且つコイル・スプリング１１１による節度ボール１１３の節度山１０９に対する付勢方向が節度山１０９の指向方向に沿うように回転ノブ１０３の回転軸心に沿った方向に設定されていると、コイル・スプリング１１１の付勢力により回転ノブ１０３の回転軸心に沿った方向のガタ詰めを行うことはできるが、回転軸心に直交した方向のガタ詰めはできず、この方向でのがたつきを招きやすいという問題があった。
【０００７】
これに対し、節度山１０９の指向方向とコイル・スプリング１１１による節度ボール１１３の節度山１０９に対する付勢方向とが回転軸心に直交した方向であるものも存在する。
【０００８】
しかし、この場合は、回転ノブ１０３の回転軸心に沿った方向のガタ詰めができず、この方向でのがたつきを招きやすいという問題がある。
【０００９】
一方、直交２方向にそれぞれ別の節度機構を設ければ、両方向にガタ詰めを行うことができ、双方向でのがたつきを抑制することができる。
【００１０】
しかし、節度機構を直交２方向に設けると、部品点数が増大し、且つ操作レバーが大型化すると言う問題がある。
【００１１】
【特許文献１】特開２００３−１６２９４５号公報
【特許文献２】特開２００６−１０７９６４号公報
【発明の開示】
【発明が解決しようとする課題】
【００１２】
解決しようとする問題点は、回転ノブの回転軸心に沿った方向及びその直交２方向でのがたつきを共に抑制するために節度機構を直交２方向に設けると部品点数が増大し、且つ操作レバーが大型化する点である。
【課題を解決するための手段】
【００１３】
本発明は、回転ノブの回転軸心に沿った方向及びその直交２方向でのがたつきを共に抑制しながら部品点数の増大抑制、操作レバーの大型化抑制を可能とするため、非回転部を備えた操作レバーに、軸回りに回転操作して電気的な操作指示が可能な回転ノブを備え、前記非回転部と前記回転ノブとの間に、節度機構を設けたレバー・スイッチにおいて、前記節度機構は、前記非回転部及び回転ノブの一方と他方とに各別に設けられた節度形状部と該節度形状部に弾性体の付勢により弾接する節度体とからなり、前記節度形状部は、前記回転ノブの回転軸心に対し傾斜するように指向配置され、前記付勢が前記節度形状部の傾斜指向方向に沿うように前記弾性体及び節度体を傾斜配置したことを最も主要な特徴とする。
【発明の効果】
【００１４】
本発明は、非回転部を備えた操作レバーに、軸回りに回転操作して電気的な操作指示が可能な回転ノブを備え、前記非回転部と前記回転ノブとの間に、節度機構を設けたレバー・スイッチにおいて、前記節度機構は、前記非回転部及び回転ノブの一方と他方とに各別に設けられた節度形状部と該節度形状部に弾性体の付勢により弾接する節度体とからなり、前記節度形状部は、前記回転ノブの回転軸心に対し傾斜するように指向配置され、前記付勢が前記節度形状部の傾斜指向方向に沿うように前記弾性体及び節度体を傾斜配置した。
【００１５】
従って、弾性体が節度体を介して節度形状部に与える付勢力及びその反力の方向が、回転ノブの回転軸心に対し傾斜することになり、その分力が回転ノブの回転軸心方向及びその直角方向に働く。
【００１６】
このため、回転ノブの回転軸心方向及びその直角方向の双方向のガタ詰めができ、双方向でのがたつきを抑制することができる。
【００１７】
しかも、節度形状部の傾斜指向方向に沿うように弾性体及び節度体を傾斜配置するだけであり、回転ノブの回転軸心方向及びその直角方向の双方向にそれぞれ節度形状部と弾性体及び節度体とからなる節度機構を配置する必要がなく、部品点数の増大抑制、操作レバーの大型化抑制を図ることができる。
【発明を実施するための最良の形態】
【００１８】
回転ノブの回転軸心に沿った方向及びその直交２方向でのがたつきを共に抑制しながら部品点数の増大抑制、操作レバーの大型化抑制を可能とするという目的を、節度形状部の傾斜指向方向に沿うように弾性体及び節度体を傾斜配置することにより実現した。
【実施例１】
【００１９】
図１は、本発明の実施例に係るレバー・スイッチを示す要部斜視図、図２は、節度山を示す図１のＩＩ−ＩＩ線矢視の説明図、図３は、節度機構の要部拡大断面図、図４は、節度山を展開して示す節度山及び節度ボールの関係の拡大図である。
【００２０】
図１のレバー・スイッチは、操作レバー１が軸心回りに回転しない非回転部としての非回転ノブ３と軸心回りに回転する回転ノブ５とを備えている。この操作レバー１も、図５の操作レバー１０１等と基本的には同様に構成することができる。回転ノブ５は、回転レバー７の先端に結合され、軸回りに回転操作して電気的な操作指示、例えば前照灯、車幅灯の点消灯の指示などが可能となっている。
【００２１】
前記非回転ノブ３と回転ノブ５との間に、節度機構９が設けられている。この節度機構９により回転ノブ５の回転操作に節度感を与えている。
【００２２】
前記節度機構９は、複数の節度形状部として一対の節度山１１，１３と複数の弾性体である一対のコイル・スプリング１５，１７の付勢により節度山１１，１３に弾接する複数の節度体としてのスチール製などの一対の節度ボール１９，２１とからなっている。
【００２３】
前記節度山１１，１３は、本実施例において回転ノブ５側に形成されている。但し、節度山１１，１３を非回転ノブ３側に形成することも可能である。この節度山１１，１３は、回転ノブ５の回転軸心方向に向いた面２３に一対突設された円弧状の突条部２５，２７の先端に形成されている。突条部２５，２７は、図２のように同心円の同曲率で回転ノブ５の回転軸心を挟んで例えば回転ノブ５の回転軸心に直交する方向（この例では、天地方向）に対称に配置されている。
【００２４】
この節度山１１，１３は、回転ノブ５の回転軸心に対し傾斜するように指向配置されている。節度山１１，１３の指向方向は、節度山１１，１３に当接する節度ボール１９，２１に対する反力方向である。この節度山１１，１３の指向方向は、本実施例において、図３のように回転ノブ５の回転軸心Ｃに対し角度θ＝３０°となるように設定されている。
【００２５】
前記コイル・スプリング１５，１７及び節度ボール１９，２１は、本実施例において非回転ノブ３側に配置されている。コイル・スプリング１５，１７は、非回転ノブ３側に天地方向に対称に傾斜配置され突設された一対の筒部２９，３１に収容されている。節度ボール１９，２１は、筒部２９，３１の先端からその一部が露出するように配置され、コイル・スプリング１５，１７の付勢により前記節度山１１，１３にそれぞれ図４のように弾接している。
【００２６】
前記筒部２９，３１の傾斜配置は、コイル・スプリング１５，１７による節度ボール１９，２１の節度山１１，１３に対する付勢が、節度山１１，１３の傾斜指向方向に沿うように回転ノブ５の回転軸心Ｃに対し角度θ＝３０°となるように設定されている。  
［節度動作］
前記回転ノブ５の回転軸心Ｃ回りの回転操作（ひねり操作）により、前照灯、車幅灯の点消灯の指示等を行うことができる。この回転ノブ５の回転操作時には、節度ボール１９，２１がコイル・スプリング１５，１７による付勢力を受けながら節度山１１，１３を乗り越えることで節度感が与えられる。
【００２７】
このとき、図３のようにコイル・スプリング１５，１７による付勢力Ｆが、回転ノブ５の回転軸心Ｃに対し角度θ＝３０°の方向で回転ノブ５に入力され、その反力が非回転ノブ３に入力される。
【００２８】
付勢力Ｆの回転軸心Ｃに沿った方向及びこれに直交する方向の分力は、ｆ１，ｆ２であり、これら分力ｆ１，ｆ２が回転ノブ５に入力され、その反力が非回転ノブ３に入力される。
【００２９】
従って、分力ｆ１，ｆ２により、回転ノブ５の回転軸心Ｃ方向及びその直角方向の双方向のガタ詰めができる。
【００３０】
［実施例の効果］
本発明の実施例は、非回転ノブ３を備えた操作レバー１に、軸回りに回転操作して電気的な操作指示が可能な回転ノブ５を備え、前記非回転ノブ３と前記回転ノブ５との間に、節度機構９を設けたレバー・スイッチにおいて、前記節度機構９は、前記回転ノブ５に設けられた節度山１１，１３と非回転ノブ３に設けられ該節度山１１，１３にコイル・スプリング１５，１７の付勢により弾接する節度ボール１９，２１とからなり、前記節度山１１，１３は、前記回転ノブ５の回転軸心Ｃに対し角度θ＝３０°で傾斜するように指向配置され、前記付勢が前記節度山１１，１３の傾斜指向方向に沿うように前記コイル・スプリング１５，１７及び節度ボール１９，２１を傾斜配置した。
【００３１】
従って、コイル・スプリング１５，１７が節度ボール１９，２１を介して節度形山１１，１３に与える付勢力Ｆ及びその反力の方向が、回転ノブ５の回転軸心Ｃに対し傾斜することになり、その分力ｆ１，ｆ２が回転ノブ５の回転軸心Ｃ方向及びその直角方向に働く。
【００３２】
このため、回転ノブ５の回転軸心Ｃ方向及びその直角方向の双方向のガタ詰めができ、双方向でのがたつきを抑制することができる。
【００３３】
しかも、節度山１１，１３の傾斜指向方向に沿うようにコイル・スプリング１５，１７及び節度ボール１９，２１を傾斜配置するだけであり、回転ノブ５の回転軸心Ｃ方向及びその直角方向の双方向にそれぞれ節度山とコイル・スプリング及び節度ボールとからなる節度機構を配置する必要がなく、部品点数の増大抑制、操作レバー１の大型化抑制を図ることができる。
【００３４】
節度山１１，１３とコイル・スプリング１５，１７及び節度ボール１９，２１とは、前記回転ノブ５の回転周方向に対称に一対備えられた。
【００３５】
従って、付勢力Ｆ及び分力ｆ１，ｆ２を、回転ノブ５の回転周方向に均等に作用させることができ、回転ノブ５の回転操作を円滑に行わせることができる。
【００３６】
節度山１１，１３の傾斜指向方向と前記コイル・スプリング１５，１７及び節度ボール１９，２１の傾斜配置の各傾斜角度は、前記回転ノブ５の回転軸心Ｃに対してθ＝３０°である。
【００３７】
従って、比較的大きなガタ詰め力が必要な回転軸心Ｃ方向の分力を相対的に大きくすることができ、操作レバー１のがたつきをより確実に抑制することができる。
【実施例２】
【００３８】
図５は、本発明の実施例２に係る節度機構の要部拡大断面図である。なお、基本的な構成は、実施例１と同様であり、図１を参照すると共に、図５において図３と対応する構成部分に同符号を付して重複した説明は省略する。
【００３９】
本実施例では、節度山１１，１３の傾斜指向方向とコイル・スプリング１５（１７）及び節度ボール１９（２１）の傾斜配置の各傾斜角度は、前記回転ノブ５の回転軸心Ｃに対してθ＝４５°である。
【００４０】
従って、回転ノブ５に働く分力は、ｆ１＝ｆ２となり、コイル・スプリング１５（１７）により軸心方向と径方向とで同一の力を働かせることができる。
【００４１】
このため、回転ノブ５の径方向での支持を確実に行わせることができる。
【００４２】
従って、本実施例においても、実施例１と同様な効果を奏することができる。
【００４３】
また、本実施例２では、軸方向及び径方向の力ｆ１，ｆ２を均一にすることができる。
［その他］
節度山１１，１３とコイル・スプリング１５，１７及び節度ボール１９，２１の組み合わせは、回転ノブ５の周方向にさらに増加させ、周方向３点支持、４点支持などとすることもできる。
【００４４】
角度θは、必要に応じてその角度を任意に設定することができる。  
節度山１１，１３を非回転ノブ３側に設け、コイル・スプリング１５，１７及び節度ボール１９，２１を回転ノブ５側に配置することもできる。
【００４５】
複数対の節度山１１，１３とコイル・スプリング１５，１７及び節度ボール１９，２１との配置を換え、所定の節度山１１，１３を回転ノブ５側に設けると共にコイル・スプリング１５，１７及び節度ボール１９，２１を非回転ノブ３側に配置し、他の節度山１１，１３を非回転ノブ３側に設けると共にコイル・スプリング１５，１７及び節度ボール１９，２１を回転ノブ５側に配置する構成にすることもできる。
【００４６】
突条部２５，２７は、連続した円形状に形成することもできる。  
【図面の簡単な説明】
【００４７】
【図１】レバー・スイッチを示す要部斜視図である（実施例１）。
【図２】節度山を示す図１のＩＩ−ＩＩ線矢視の説明図である（実施例１）。
【図３】節度機構の拡大断面図である（実施例１）。
【図４】節度山を展開して示す節度山及び節度ボールの関係の拡大図である（実施例１）。
【図５】節度機構の拡大断面図である（実施例２）。
【図６】操作レバーの断面図である（従来例）。
【符号の説明】
【００４８】
１  操作レバー
３  非回転ノブ（非回転部）
５  回転ノブ
９  節度機構
１１，１３  節度山（節度形状部）
１５，１７  コイル・スプリング（弾性体）
１９，２１  節度ボール（節度体）
【図１】
2009043683.tif 000003
【図２】
2009043683.tif 000004
【図３】
2009043683.tif 000005
【図４】
2009043683.tif 000006
【図５】
2009043683.tif 000007
【図６】
2009043683.tif 000008